(57)【要約】【目的】本発明は、原稿ガラス及びミラーに埃等の異物が付着するのを防止する原稿読取装置及び画像形成装置の提供を目的とする。【構成】原稿に光を照射する光源３１と、該原稿からの反射光を電気信号に変換する光電変換素子３２と、前記原稿に反射した光を前記光電変換素子３２へ伝達するミラー３４ａ，３４ｂ，３４ｃと、前記光源３１と前記光電変換素子３２と前記ミラー３４ａ，３４ｂ，３４ｃを収納するケース３５と、該ケース３５の内側に配置した粘着物３９と、を有する構成とした。これによって、光源３１等の移動によっても異物が舞い飛ぶことがなく、異常画像の形成を防止できる。【選択図】        図１
2004356692.tif 000002
【特許請求の範囲】
【請求項１】
原稿に光を照射する光源と、該原稿からの反射光を電気信号に変換する光電変換素子と、前記原稿に反射した光を前記光電変換素子へ伝達するミラーと、前記光源と前記光電変換素子と前記ミラーを収納するケースと、該ケースの内側に配置した粘着物と、を有することを特徴とする原稿読取装置。
【請求項２】
前記粘着物は、ケース内側の底面に配置することを特徴とする請求項１記載の原稿読取装置。
【請求項３】
前記粘着物は、ケース内側の側面に配置することを特徴とする請求項１又は２記載の原稿読取装置。
【請求項４】
前記粘着物は、ケース内側の上面に配置することを特徴とする請求項１から３のいずれかに記載の原稿読取装置。
【請求項５】
前記粘着物は、粘着性樹脂であることを特徴とする請求項１から４のいずれかに記載の原稿読取装置。
【請求項６】
前記粘着物は、両面テープであることを特徴とする請求項１から４のいずれかに記載の原稿読取装置。
【請求項７】
前記粘着物は、液状粘着剤であることを特徴とする請求項１から４のいずれかに記載の原稿読取装置。
【請求項８】
前記粘着物は、スプレーのりであることを特徴とする請求項１から４のいずれかに記載の原稿読取装置。
【請求項９】
請求項１から８のいずれかに記載の原稿読取装置を有することを特徴とする画像形成装置。
【発明の詳細な説明】
【０００１】
【産業上の利用分野】
本発明は、原稿読取装置における、原稿ガラス及びミラーへの異物付着防止に関する。
【０００２】
【従来の技術】
コピー機や複合機等の画像形成装置は、原稿の画像を読み取るための原稿読取装置を有している。これは、原稿を載置する透明な原稿ガラスと、原稿を照らす光源と、原稿からの反射光をＣＣＤに導くための複数のミラーと、複数のレンズ及びＣＣＤ等から構成されている。
【０００３】
画像を読み取る場合には、光源と、複数あるミラーが移動することにより、原稿ガラスに載置された原稿に記載された画像を読み取る。この時、光源やミラーの移動によって、原稿読取装置内の埃や紙粉等の異物が舞い飛ぶことがある。舞い飛んだ異物は原稿ガラスやミラーに付着し、転写紙に予期しないスジや点等が入る異常画像が形成される。
【０００４】
このような異常画像を防止するには、サービスマンが定期的に原稿読取装置内の清掃等のメンテナンスを行うか、原稿読取装置を完全に密閉し、埃や紙粉の侵入を防ぐ方法、さらには特許文献１及び２のように、原稿ガラスを原稿読取装置の内側から清掃する方法等が考えられる。
【０００５】
【特許文献１】
特開２０００−７８３５７号公報  （段落００１３、図４）
【特許文献２】
特開平９−２７０８９０号公報  （図２、図３）
【０００６】
【発明が解決しようとする課題】
しかし、サービスマンによるメンテナンスの場合では、サービスマンが来るまでの間は異常画像が形成される状態のまま使用するしかない。また、原稿読取装置は、ＣＣＤによって電気信号に変換された画像データを画像形成部へ送るためのケーブルや電源ケーブル等を通す孔が開いており、原稿ガラスは破損した場合に容易に交換できる構造となっているため、埃等の侵入を防ぐように密閉することは難しい。特許文献１及び２では、特殊な清掃部材が必要となりコストアップの原因となる。さらに特許文献１及び２は、原稿ガラスの清掃はしているが、埃等の舞い飛びを防止しているわけではないので、舞い飛んだ埃等がミラーに付着した場合には、異常画像が形成されてしまうという問題がある。
【０００７】
そこで、本発明は、原稿ガラス及びミラーに埃等の異物が付着するのを防止する原稿読取装置及び画像形成装置の提供を目的とする。
【０００８】
【課題を解決するための手段】
上記の目的を達成するために、請求項１に係る原稿読取装置は、原稿に光を照射する光源と、該原稿からの反射光を電気信号に変換する光電変換素子と、前記原稿に反射した光を前記光電変換素子へ伝達するミラーと、前記光源と前記光電変換素子と前記ミラーを収納するケースと、該ケースの内側に配置した粘着物と、を有する構成とした。
【０００９】
請求項２に係る原稿読取装置は、前記粘着物は、ケース内側の底面に配置する構成とした。請求項３に係る原稿読取装置は、前記粘着物は、ケース内側の側面に配置する構成とした。請求項４に係る原稿読取装置は、前記粘着物はケース内側の上面に配置する構成とした。請求項５に係る原稿読取装置は、前記粘着物は粘着性樹脂であることとした。請求項６に係る原稿読取装置は、前記粘着物は両面テープである構成とした。請求項７に係る原稿読取装置は、前記粘着物は液状粘着剤であることとした。請求項８に係る原稿読取装置は、前記粘着物はスプレーのりである構成とした。
【００１０】
上記の目的を達成するために、本発明の画像形成装置は、請求項１から８のいずれかに記載の原稿読取装置を有する構成とした。
【００１１】
【作用】
請求項１に係る原稿読取装置は、光源、光電変換素子、ミラー、ケース及び粘着物を有していることによって、原稿読取装置内に異物が侵入しても粘着物に付着するため、原稿読取時に光源やミラーが駆動しても異物が舞い飛ぶことがない。そのため、異常画像の形成を防止できる。
【００１２】
請求項２に係る原稿読取装置は、粘着物をケースの底面に設けることによって、落下した異物を付着し、異物の舞い飛びを防止できる。請求項３に係る原稿読取装置は、粘着物をケースの側面に設けることによって、ケース内で舞い飛んでいる異物が付着するので、異常画像の形成を防止できる。請求項４に係る原稿読取装置は、粘着物をケースの上面に配置することで、ケース内で舞い飛んでいる異物が付着し、異常画像の形成を防止できる。
【００１３】
請求項５から８に係る原稿読取装置は、粘着物として粘着性樹脂、両面テープ、液状粘着剤、スプレーのりを使用する。これによって、画像形成装置の価格や設置場所等を考慮して適当な粘着物を選択することができる。
【００１４】
請求項９に係る画像形成装置は、上記原稿読取装置を有する。これによって、異常画像の形成を防止できる。
【００１５】
【発明の実施の形態】
次に、本発明を、図面を基に説明する。図１は、本発明の画像形成装置の構成図である。画像形成装置１は、自動原稿送り装置２、原稿読取装置３、画像形成部４及び給紙カセット５等を有する。画像形成部４はさらに、感光体ドラム６、帯電装置７、像露光装置８、現像装置９、転写装置１０、クリーニング装置１１及び定着装置１２等によって構成されている。
【００１６】
このような画像形成装置１による画像形成の流れを次に示す。まず、原稿読取装置３は、原稿を画像データとして読みこむ。次に帯電装置７が感光体ドラム６を一様に帯電させ、像露光装置８が画像データを感光体ドラム６に静電潜像として形成する。静電潜像は、現像装置９によってトナーを吸着されトナー画像となる。さらに、転写装置１０が給紙カセット５から搬送されてきた転写紙Ｓにトナー画像を転写し、定着装置１２は該トナー画像を加熱、溶融して転写紙Ｓに定着する。その後転写紙Ｓは、両面コピーの場合は搬送経路切換板１３によって反転経路１４へ表裏反転されて、再度画像形成部４へ搬送される。両面コピーが完了した場合又は片面コピーの場合には、搬送経路切換板１３が下がることで、転写紙Ｓは排出ローラ１５に送られる。一方、転写後に感光体ドラム６に残ったトナーは、クリーニング装置１１によって回収される。
【００１７】
図２は、原稿読取装置の構成図である。原稿読取装置３は、原稿を照らすための光源３１、光情報を電気信号に変換する光電変換素子であるＣＣＤ３２、ＣＣＤ３２に像を結ぶための複数のレンズ３３及び、原稿に反射した光をＣＣＤ３２へ導くためのミラー３４ａ，３４ｂ，３４ｃが、ケース３５内に配置されている。これらのうち、ＣＣＤ３２とレンズ３３には、フレア光や埃の侵入を防ぐためのインナーカバー３６が取り付けられている。また、ケース３５の上部には原稿を読み取るためのガラス等でできた透明な板である、プラテンガラス３７とコンタクトガラス３８が取り付けられている。
【００１８】
原稿に記録された画像は、プラテンガラス３７に原稿を載置して読み取られるか、原稿を自動原稿送り装置２からコンタクトガラス３８へ搬送することによって読み取られる。
【００１９】
光源３１とミラー３４ａは、１つのユニットとして図示しない駆動装置によって、図の左右方向に移動可能となっている。同様にミラー３４ｂ，３４ｃも１つのユニットとして図の左右方向に移動可能となっている。この時に、ミラー３４ｂ，３４ｃのユニットは、常に光源３１とミラー３４ａのユニットより左側に位置している。
【００２０】
このような原稿読取装置３による、原稿の読み取りは次のような手順となる。原稿がプラテンガラス３７上に載置された場合には、光源３１とミラー３４ａは、原稿の読み取り開始位置であるプラテンガラス３７の左端に移動する。同時にミラー３４ｂ，３４ｃも移動する。そして、光源３１が点灯し、ミラー３４ａと共に図の右方向に移動する。ミラー３４ｂ，３４ｃも同時に右方向へ移動する。
【００２１】
光源３１から発せられた光は、プラテンガラス３７を透過して、原稿の表面で反射し、再びプラテンガラス３７を透過してミラー３４ａに到達する。ミラー３４ａは、到達した光をミラー３４ｂへ向けて反射し、ミラー３４ｂはミラー３４ｃへ向けて反射する。そして、ミラー３４ｃによって反射された光はレンズ３３を通してＣＣＤ３２へ到達する。ＣＣＤ３２に到達した光は、電気信号に変換されて図示しない記憶装置に記憶される。
【００２２】
原稿が、自動原稿送り装置２に載置された場合には、光源３１、ミラー３４ａ，３４ｂ，３４ｃは、それぞれ図の３１´，３４ａ´，３４ｂ´，３４ｃ´に移動する。自動原稿送り装置２を使用する場合は、原稿がコンタクトガラス３８上を移動するので、光源３１´等はその位置から移動しない。原稿の先端がコンタクトガラス３８に到達する時点で光源３１´は点灯しており、原稿がコンタクトガラス３８を通過する時に、光源３１´からの光が原稿に反射して、ミラー３４ａ，３４ｂ，３４ｃによってＣＣＤ３２へ導かれ、電気信号となって図示しない記憶装置に格納される。
【００２３】
原稿読取装置３の内部では、上記のように光源３１やミラー３４ａ，３４ｂ，３４ｃが移動することによって気流が発生し、ケース３５の底部に落ちていた埃や紙粉が舞い飛んでしまう。舞い飛んだ埃等は、プラテンガラス３７やコンタクトガラス３８や、ミラー３４ａ，３４ｂ，３４ｃに付着し、異常画像の原因となる。
【００２４】
図３は、原稿読取装置の上面図である。図３では、埃や紙粉等といった異物を付着させるための粘着物３９が、ケース３５の底面部分に３ヶ所に分けて設けられている。粘着物３９としては、両面テープや粘着性樹脂等がある。また、スプレーのりや液状粘着剤等を塗布してもよい。
【００２５】
埃や紙粉といった異物は、プラテンガラス３７やコンタクトガラス３８と、ケース３５との間にある隙間や、ＣＣＤ３２へ電源を供給する電源ケーブルといったケーブルを通す図示しない孔等から原稿読取装置３へ侵入してくる。侵入した時は、ケース３５内を舞い飛んでいるが、しばらくするとケース３５の底面部分に落下する。
【００２６】
この時、粘着物３９に落ちた異物は、粘着物３９に付着する。一度付着した異物は、粘着物３９の粘着力のため、光源３１やミラー３４ａ，３４ｂ，３４ｃの移動により発生する気流によっても、舞い飛ぶことがない。
【００２７】
図３では、３ヶ所にある粘着物３９の間に、粘着物３９を設けていない場所が存在し、そこに異物が落下した場合には、光源３１等の移動による気流によって舞い飛び、異常画像の原因となる可能性がある。
【００２８】
図４は、本発明の第２実施例を示した図である。図４では、ケース３５の底面全体と、インナーカバー３６全体に粘着物３９が貼り付け又は塗布されている。このようにすることで、ケース３５内に侵入した異物は、そのほとんどが粘着物３９に付着するため、異物の舞い飛びがより少なくなる。
【００２９】
図４のような実施例以外にも、粘着物３９をケース３５の底面全体及び側面全体に設けたり、ケース３５上部、すなわちプラテンガラス３７やコンタクトガラス３８とケース３５の隙間付近に設けることも可能である。これによって、侵入直後の異物が、側面や上部の粘着物３９に付着するので、埃等の舞い飛び防止により効果的である。
【００３０】
画像形成装置１を設置する場所の環境によっては、埃等の異物が少ないため、ケース３５の全面に設けずに、プラテンガラス３７やコンタクトガラス３８と、ケース３５との間の隙間や、図示しない孔の近辺に粘着物３９を貼り付け又は塗布すれば充分な場合もある。また、画像形成装置の機種によっては粘着物３９にコストをかけられない場合も考えられる。従って、粘着物３９の貼り付け又は塗布する位置や大きさや、使用する粘着物３９の種類は、画像形成装置１の機種及び設置される場所の環境等によって、任意に決定することができる。
【００３１】
さらに、粘着物３９として両面テープや粘着性樹脂等を使用する場合には、ケース３５に貼り付ける側の面の粘着力を弱くしておき、容易に交換ができるようにすることも可能である。
【００３２】
【発明の効果】
上記のように、本発明の原稿読取装置によれば、原稿に光を照射する光源と、該原稿からの反射光を電気信号に変換する光電変換素子と、前記原稿に反射した光を前記光電変換素子へ伝達するミラーと、前記光源と前記光電変換素子と前記ミラーを収納するケースと、該ケースの内側に配置した粘着物と、を有する構成とすることで、原稿読取装置内に侵入した異物が粘着物に付着するので異物の舞い飛びが防止でき、よって異常画像の形成を防止することができる。
【００３３】
前記粘着物は、ケース内側の底面に配置する構成とすることで、落下した異物が粘着物に付着するので、異物の舞い飛びを防止できる。
【００３４】
前記粘着物は、ケース内側の側面に配置する構成とすることで、舞い飛んで側面に達した異物が粘着物に付着し、異常画像の形成を防止できる。
【００３５】
前記粘着物は、ケース内側の上面に配置する構成とすることで、上方に舞い上がった異物や外から侵入してくる異物が粘着物に付着し、異常画像の形成を防止することができる。
【００３６】
上記のように、本発明の画像形成装置によれば、上記の原稿読取装置を有する構成とすることで、原稿読取装置内の異物の舞い飛びを防止し、よって異常画像の形成を防止することができる。
【図面の簡単な説明】
【図１】本発明の画像形成装置の構成図である。
【図２】原稿読取装置の構成図である。
【図３】原稿読取装置の上面図である。
【図４】本発明の第２実施例を示した図である。
【符号の説明】
１                          画像形成装置
３                          原稿読取装置
３１                        光源
３２                        光電変換素子
３４ａ，３４ｂ，３４ｃ      ミラー
３５                        ケース
３９                        粘着物
【図１】
2004356692.tif 000003
【図２】
2004356692.tif 000004
【図３】
2004356692.tif 000005
【図４】
2004356692.tif 000006